(57)【特許請求の範囲】
【請求項１】
スモールセルであって、
前記スモールセルと隣接するスモールセルとの間のチャネルの負荷情報及びチャネル状態情報を基地局に報告するように構成された送信部であって、前記スモールセルのカバレッジ範囲と前記隣接するスモールセルのカバレッジ範囲は両方とも前記基地局のカバレッジ範囲内にある、送信部と、
前記負荷情報及び前記チャネル状態情報に応じて前記基地局から送信されるリンクプリスケジューリングシグナリングを受信するように構成された受信部であって、前記リンクプリスケジューリングシグナリングはワイヤレスリソース占有情報を含み、前記ワイヤレスリソース占有情報が使用されて、前記スモールセルのワイヤレスリソースがバックホールリンクに占有されている状況を知らせる、受信部と、
前記チャネル状態情報及び前記ワイヤレスリソース占有情報に従って、利用可能なワイヤレスリソースの中の第１のワイヤレスリソースを前記スモールセルの前記バックホールリンクに割り当てるように構成されたスケジューリング部と、
前記第１のワイヤレスリソースを除く前記利用可能なワイヤレスリソースの中の第２のワイヤレスリソースをアクセスリンクに割り当てるように構成された割り当て部であって、前記アクセスリンクは、前記スモールセルとユーザ機器との間のデータ送信に使用される、割り当て部と
を備えるスモールセル。
【請求項２】
前記スモールセルが、
前記負荷情報に従って、前記バックホールリンクにリソースの再割り当てが行われる必要があるかどうかを判定するように構成された判定部をさらに備え、
前記送信部はさらに、前記判定部が前記バックホールリンクにリソースの再割り当てが行われる必要があると判定した後に、バックホールリンクリソースの再割り当てを要求する情報を前記基地局に送信するように構成され、
前記受信部はさらに、前記バックホールリンクリソースの再割り当てを要求する情報に応じて前記基地局から送信されるフィードバック指示情報を受信するように構成され、前記フィードバック指示情報が使用されて、前記負荷情報及び前記チャネル状態情報を前記基地局に報告するように前記スモールセルに指示する、請求項１に記載のスモールセル。
【請求項３】
基地局であって、
スモールセルから報告される負荷情報及びチャネル状態情報を受信するように構成された受信部と、
前記負荷情報及び前記チャネル状態情報に従って、ミリ波帯で前記スモールセルにリンクプリスケジューリングシグナリングを送信するように構成された送信部であって、前記リンクプリスケジューリングシグナリングはワイヤレスリソース占有情報を含み、前記ワイヤレスリソース占有情報が使用されて、前記スモールセルのワイヤレスリソースがバックホールリンクに占有されている状況を知らせ、前記スモールセルのカバレッジ範囲は前記基地局のカバレッジ範囲内にある、送信部と
を備え、
前記基地局がさらに判定部を備え、
前記受信部がさらに、前記スモールセルから送信されるバックホールリンクリソースの再割り当てを要求する情報を受信するように構成され、
前記判定部が、前記スモールセルの前記バックホールリンクの負荷に関連する情報に従って、前記スモールセルの前記バックホールリンクにワイヤレスリソースの再割り当てが行われる必要があるかどうかを判定するように構成され、
前記送信部がさらに、前記スモールセルの前記バックホールリンクにワイヤレスリソースの再割り当てが行われる必要があると判定されると、前記ワイヤレスリソースの再割り当てに関係するスモールセルにフィードバック指示情報を送信するように構成され、前記フィードバック指示情報が使用されて、前記ワイヤレスリソースの再割り当てに関係する前記スモールセルに、負荷情報及びチャネル状態情報を前記基地局に報告するよう指示する、基地局。
【請求項４】
スモールセルであって、
前記スモールセルと隣接スモールセルとの間のチャネルの負荷情報及びチャネル状態情報を基地局に報告するように構成された送信部であって、前記スモールセルのカバレッジ範囲と前記隣接スモールセルのカバレッジ範囲は両方とも前記基地局のカバレッジ範囲内にある、送信部と、
前記負荷情報及び前記チャネル状態情報に応じて前記基地局から送信されるリンクスケジューリングのシグナリングを受信するように構成された受信部であって、前記リンクスケジューリングのシグナリングはワイヤレスリソースのスケジューリング情報を含み、前記ワイヤレスリソースのスケジューリング情報が使用されて、前記スモールセルのワイヤレスバックホールリンクに必要とされる第１のワイヤレスリソースを前記スモールセルに割り当てる、受信部と、
前記第１のワイヤレスリソースを除く前記ワイヤレスバックホールリンクの第２のワイヤレスリソースをアクセスリンクに割り当てるように構成された割り当て部であって、前記アクセスリンクは、前記スモールセルとユーザ機器との間のデータ送信に使用される、割り当て部と
を備えるスモールセル。
【請求項５】
前記スモールセルが、
前記負荷情報に従って、前記バックホールリンクにリソースの再割り当てが行われる必要があるかどうかを判定するように構成された判定部をさらに備え、
前記送信部はさらに、前記判定部が前記バックホールリンクにリソースの再割り当てが行われる必要があると判定した後に、バックホールリンクリソースの再割り当てを要求する情報を前記基地局に送信するように構成され、
前記受信部はさらに、前記バックホールリンクリソースの再割り当てを要求する情報に応じて前記基地局から送信されるフィードバック指示情報を受信するように構成され、前記フィードバック指示情報が使用されて、前記負荷情報及び前記チャネル状態情報を前記基地局に報告するように前記スモールセルに指示する、請求項４に記載のスモールセル。
【請求項６】
基地局であって、
スモールセルから報告される負荷情報及びチャネル状態情報を受信するように構成された受信部と、
前記負荷情報及び前記チャネル状態情報に従って、ミリ波帯で前記スモールセルにリンクスケジューリングのシグナリングを送信するように構成された送信部であって、前記リンクスケジューリングのシグナリングはワイヤレスリソースのスケジューリング情報を含み、前記ワイヤレスリソースのスケジューリング情報が使用されて、ワイヤレスバックホールリンクにアクセスするために前記スモールセルに必要とされる第１のワイヤレスリソースを知らせ、前記スモールセルのカバレッジ範囲は前記基地局のカバレッジ範囲内にある、送信部と
を備え、
前記基地局がさらに判定部を備え、
前記受信部がさらに、前記スモールセルから送信されるバックホールリンクリソースの再割り当てを要求する情報を受信するように構成され、
前記判定部がさらに、前記スモールセルの前記バックホールリンクの負荷に関連する情報に従って、前記スモールセルの前記ワイヤレスバックホールリンクにワイヤレスリソースの再割り当てが行われる必要があるかどうかを判定するように構成され、
前記送信部はさらに、前記判定部が前記スモールセルの前記ワイヤレスバックホールリンクにワイヤレスリソースの再割り当てが行われる必要があると判定すると、前記ワイヤレスリソースの再割り当てに関係するスモールセルにフィードバック指示情報を送信するように構成され、前記フィードバック指示情報が使用されて、前記ワイヤレスリソースの再割り当てに関係する前記スモールセルに、負荷情報及びチャネル状態情報を前記基地局に報告するよう指示する、基地局。
【請求項７】
通信リンクリソースをスケジュールする方法であって、
第１のスモールセルが、前記第１のスモールセルと隣接する第２のスモールセルとの間のチャネルの負荷情報及びチャネル状態情報を基地局に報告するステップであって、前記第１のスモールセルのカバレッジ範囲と前記第２のスモールセルのカバレッジ範囲は、両方とも前記基地局のカバレッジ範囲内にある、ステップと、
前記第１のスモールセルが、前記負荷情報及び前記チャネル状態情報に応じて前記基地局から送信されたリンクプリスケジューリングシグナリングを受信するステップであって、前記リンクプリスケジューリングシグナリングはワイヤレスリソース占有情報を含み、前記ワイヤレスリソース占有情報が使用されて、前記第１のスモールセルのワイヤレスリソースがバックホールリンクに占有されている状況を知らせる、ステップと、
前記第１のスモールセルが、前記チャネル状態情報及び前記ワイヤレスリソース占有情報に応じて、利用可能なワイヤレスリソースの中の第１のワイヤレスリソースを前記第１のスモールセルの前記バックホールリンクに割り当てるステップと、
前記第１のワイヤレスリソースを除く前記利用可能なワイヤレスリソースの中の第２のワイヤレスリソースをアクセスリンクに割り当てるステップであって、前記アクセスリンクは、前記第１のスモールセルとユーザ機器との間のデータ送信に使用される、ステップと
を含む方法。
【請求項８】
第１のスモールセルが、前記第１のスモールセルと隣接する第２のスモールセルとの間のチャネルの負荷情報及びチャネル状態情報を基地局に報告する前記ステップの前に、前記方法がさらに、
前記第１のスモールセルが前記負荷情報に従って、バックホールリンクにリソースの再割り当てが行われる必要があるかどうかを判定するステップと、
バックホールリンクリソースの再割り当てを要求する情報を前記基地局に送信するステップと、
前記バックホールリンクリソースの再割り当てを要求する前記情報に応じて前記基地局から送信されるフィードバック指示情報を受信するステップであって、前記フィードバック指示情報が使用されて、前記負荷情報及び前記チャネル状態情報を前記基地局に報告するように前記第１のスモールセルに指示する、ステップと
を含む請求項７に記載の方法。
【請求項９】
通信リンクリソースをスケジュールする方法であって、
基地局が、スモールセルから報告される負荷情報及びチャネル状態情報を受信するステップと、
前記負荷情報及び前記チャネル状態情報に応じて、ミリ波帯で前記スモールセルにリンクプリスケジューリングシグナリングを送信するステップであって、前記リンクプリスケジューリングシグナリングはワイヤレスリソース占有情報を含み、前記ワイヤレスリソース占有情報が使用されて、前記スモールセルのワイヤレスリソースがバックホールリンクに占有されている状況を知らせ、前記スモールセルのカバレッジ範囲は前記基地局のカバレッジ範囲内にある、ステップと
を含み、
基地局が、スモールセルから報告される負荷情報及びチャネル状態情報を受信する前記ステップの前に、前記方法がさらに、
前記基地局が、前記スモールセルから送信されたバックホールリンクリソースの再割り当てを要求する情報を受信するステップと、
前記スモールセルの前記バックホールリンクの負荷に関連する情報に従って、前記スモールセルの前記バックホールリンクにワイヤレスリソースの再割り当てを行うかどうかを判定するステップと、
ワイヤレスリソースの再割り当てを行うと決定されると、前記ワイヤレスリソースの再割り当てに関係するスモールセルにフィードバック指示情報を送信するステップであって、前記フィードバック指示情報が使用されて、前記ワイヤレスリソースの再割り当てに関係する前記スモールセルに、負荷情報及びチャネル状態情報を前記基地局に報告するよう指示するステップと
を含む、方法。
【請求項１０】
通信リンクリソースをスケジュールする方法であって、
スモールセルが、前記スモールセルと隣接スモールセルとの間のチャネルの負荷情報及びチャネル状態情報を基地局に報告するステップであって、前記スモールセルのカバレッジ範囲と前記隣接スモールセルのカバレッジ範囲は両方とも前記基地局のカバレッジ範囲内にある、ステップと、
前記スモールセルが、前記負荷情報及び前記チャネル状態情報に応じて前記基地局から送信されたリンクスケジューリングのシグナリングを受信するステップであって、前記リンクスケジューリングのシグナリングはワイヤレスリソースのスケジューリング情報を含み、前記ワイヤレスリソースのスケジューリング情報が使用されて、前記スモールセルのワイヤレスバックホールリンクに必要とされる第１のワイヤレスリソースを前記スモールセルに割り当てる、ステップと、
前記第１のワイヤレスリソースを除く前記ワイヤレスバックホールリンクの第２のワイヤレスリソースをアクセスリンクに割り当てるステップであって、前記アクセスリンクは、前記スモールセルとユーザ機器との間のデータ送信に使用される、ステップと
を含む方法。
【請求項１１】
スモールセルが、前記スモールセルと隣接スモールセルとの間のチャネルの負荷情報及びチャネル状態情報を基地局に報告する前記ステップの前に、前記方法がさらに、
前記スモールセルが、前記負荷情報に従ってバックホールリンクリソースの再割り当ての需要を判定するステップと、
バックホールリンクリソースの再割り当てを要求する情報を前記基地局に送信するステップと、
前記バックホールリンクリソースの再割り当てを要求する前記情報に従って前記基地局から送信されるフィードバック指示情報を受信するステップであって、前記フィードバック指示情報が使用されて、前記負荷情報及び前記チャネル状態情報を前記基地局に報告するように前記スモールセルに指示する、ステップと
を含む請求項１０に記載の方法。
【請求項１２】
通信リンクリソースをスケジュールする方法であって、
基地局が、スモールセルから報告される負荷情報及びチャネル状態情報を受信するステップと、
前記負荷情報及び前記チャネル状態情報に従って、ミリ波帯で前記スモールセルにリンクスケジューリングのシグナリングを送信するステップであって、前記リンクスケジューリングのシグナリングはワイヤレスリソースのスケジューリング情報を含み、前記ワイヤレスリソースのスケジューリング情報が使用されて、ワイヤレスバックホールリンクにアクセスするために前記スモールセルに必要とされる第１のワイヤレスリソースを知らせ、前記スモールセルのカバレッジ範囲は前記基地局のカバレッジ範囲内にある、ステップと
を含み、
基地局がスモールセルから報告される負荷情報及びチャネル状態情報を受信する前記ステップの前に、前記方法がさらに、
前記基地局が、前記スモールセルから送信されたバックホールリンクリソースの再割り当てを要求する情報を受信するステップと、
前記スモールセルの前記バックホールリンクの負荷に関連する情報に従って、前記スモールセルの前記ワイヤレスバックホールリンクにワイヤレスリソースの再割り当てを行うかどうかを判定するステップと、
ワイヤレスリソースの再割り当てを行うと決定された場合、前記ワイヤレスリソースの再割り当てに関係するスモールセルにフィードバック指示情報を送信するステップであって、前記フィードバック指示情報が使用されて、前記ワイヤレスリソースの再割り当てに関係する前記スモールセルに、負荷情報及びチャネル状態情報を前記基地局に報告するよう指示する、ステップと
を含む、方法。
【発明の詳細な説明】
【技術分野】
【０００１】
本発明は、通信技術の分野に関し、詳細には、基地局、スモールセル、及び通信リンクリソースをスケジュールする方法に関する。
【背景技術】
【０００２】
モバイルデータサービスの需要の増大に伴い、モバイル通信に利用できる大半の低周波数帯スペクトルのリソース（例えば、３ＧＨｚよりも低い周波数帯）は、すでに割り当てられている。しかし、３ＧＨｚ〜３００ＧＨｚの周波数帯では、多量のスペクトルリソースの使用がいまだに割り当てられていない。国際電気通信連合（Ｉｎｔｅｒｎａｔｉｏｎａｌ  Ｔｅｌｅｃｏｍｍｕｎｉｃａｔｉｏｎ  Ｕｎｉｏｎ，ＩＴＵ）の定義によると、３ＧＨｚ〜３０ＧＨｚの周波数帯は超高周波数（ＳＨＦ）帯と呼ばれ、３０ＧＨｚ〜３００ＧＨｚの周波数帯は極高周波数（ＥＨＦ）帯と呼ばれる。ＳＨＦ帯とＥＨＦ帯は、伝搬特性が似ており（比較的高い伝搬損失）、１ｍｍ〜１００ｍｍの範囲の波長を持つため、３ＧＨｚ〜３００ＧＨｚの周波数帯は総称してミリ波帯とも呼ばれる。したがって、ミリ波帯通信を基盤とし、ワイヤレスバックホール（ｂａｃｋｈａｕｌ）リソースとワイヤレスアクセスリソースをまとめてスケジュールする効率的な機構をどのように確立するかは、ネットワーク全体のリソース使用効率を改善し、システムネットワークの容量を増大させる上で重要な役割を果たす。バックホールリンクとアクセスリンクの間でワイヤレスリソースを割り当てる問題は、特にバックホールリンクがアクセスリンクとミリ波帯のリソースを共用する場合に考慮されなければならない。
【０００３】
従来技術では、３ＧＰＰは、ＬＴＥ  Ｒｅｌ−１０に帯域内リレーノード（Ｒｅｌａｙ  Ｎｏｄｅ，ＲＮ）を導入し、リレーノードのバックホールリンクとアクセスリンクは、時分割多重（Ｔｉｍｅ−Ｄｉｖｉｓｉｏｎ  Ｍｕｌｔｉｐｌｅｘｉｎｇ，ＴＤＭ）を利用してワイヤレスリソースを共用する。マルチメディアブロードキャストマルチキャストサービス単一周波数ネットワーク（Ｍｕｌｔｉｍｅｄｉａ  Ｂｒｏａｄｃａｓｔ  Ｍｕｌｔｉｃａｓｔ  Ｓｅｒｖｉｃｅ  Ｓｉｎｇｌｅ−Ｆｒｅｑｕｅｎｃｙ  Ｎｅｔｗｏｒｋ，ＭＢＳＦＮ）のサブフレームを準静的に設定することにより、バックホール伝送用にサブフレームリソースが確保される。ｅＮＢが、各ＲＮのバックホールリソースをスケジュールする役割を担い、ＲＮは、そのＲＮに接続されたユーザ機器（ＵＥ）のリソースをスケジュールする役割を担う。ミリ波の高周波数通信システムでは、大きなサービスフローのバースト需要が顕著になりつつある。バックホールリソースとアクセスリソースは別々にスケジュールされ、そのため、システムのリソース使用に特有の非効率性が存在する。
【発明の概要】
【０００４】
本発明により提供される基地局、スモールセル、及び通信リンクリソースをスケジュールする方法によると、ネットワーク上のスモールセルそれぞれの負荷に応じてバックホールリンクのリソースが動的に調整されることができ、それによりネットワーク全体のリソース使用効率を改善し、システムネットワークの容量を増大させることを促す。
【０００５】
第１の態様によると、本発明の実施形態はスモールセルを提供し、このスモールセルは、
スモールセルと隣接するスモールセルとの間のチャネルの負荷情報及びチャネル状態情報を基地局に報告するように構成された送信部であって、スモールセルのカバレッジ範囲と隣接するスモールセルのカバレッジ範囲は両方とも基地局のカバレッジ範囲内にある、送信部と、
負荷情報及びチャネル状態情報に応じて基地局から送信されるリンクプリスケジューリングシグナリングを受信するように構成された受信部であって、リンクプリスケジューリングシグナリングはワイヤレスリソース占有情報を含み、ワイヤレスリソース占有情報が使用されて、スモールセルのワイヤレスリソースがバックホールリンクに占有されている状況を知らせる、受信部と、
チャネル状態情報及びワイヤレスリソース占有情報に従って、利用可能なワイヤレスリソースの中の第１のワイヤレスリソースをスモールセルのバックホールリンクに割り当てるように構成されたスケジューリング部と、
第１のワイヤレスリソースを除く利用可能なワイヤレスリソースの中の第２のワイヤレスリソースをアクセスリンクに割り当てるように構成された割り当て部であって、アクセスリンクは、スモールセルとユーザ機器との間のデータ送信に使用される、割り当て部と
を備える。
【０００６】
第１の可能な実装方式では、上記スモールセルは、
バックホールリンクにリソースの再割り当てが行われる必要があるかどうかを判定するように構成された判定部をさらに備え、
送信部はさらに、バックホールリンクリソースの再割り当てを要求する情報を基地局に送信するように構成され、
受信部はさらに、バックホールリンクリソースの再割り当てを要求する情報に応じて基地局から送信されるフィードバック指示情報を受信するように構成され、フィードバック指示情報が使用されて、負荷情報及びチャネル状態情報を基地局に報告するようにスモールセルに指示する。
【０００７】
第２の態様によると、本発明の実施形態は基地局を提供し、この基地局は、
スモールセルから報告される負荷情報及びチャネル状態情報を受信するように構成された受信部と、
負荷情報及びチャネル状態情報に従って、ミリ波帯でスモールセルにリンクプリスケジューリングシグナリングを送信するように構成された送信部であって、リンクプリスケジューリングシグナリングはワイヤレスリソース占有情報を含み、ワイヤレスリソース占有情報が使用されて、スモールセルのワイヤレスリソースがバックホールリンクに占有されている状況を知らせ、スモールセルのカバレッジ範囲は基地局のカバレッジ範囲内にある、送信部とを備える。
【０００８】
第１の可能な実装方式では、上記基地局はさらに判定部を備え、
受信部がさらに、スモールセルから送信されるバックホールリンクリソースの再割り当てを要求する情報を受信するように構成され、
判定部が、スモールセルのバックホールリンクの負荷に関連する情報に従って、スモールセルのバックホールリンクにワイヤレスリソースの再割り当てを行うかどうかを判定するように構成され、
ワイヤレスリソースの再割り当てを行うと決定されると、送信部がさらに、ワイヤレスリソースの再割り当てに関係するスモールセルにフィードバック指示情報を送信するように構成され、フィードバック指示情報が使用されて、ワイヤレスリソースの再割り当てに関係するスモールセルに、負荷情報及びチャネル状態情報を基地局に報告するよう指示する。
【０００９】
第３の態様によると、本発明の実施形態はスモールセルを提供し、このスモールセルは、
スモールセルと隣接スモールセルとの間のチャネルの負荷情報及びチャネル状態情報を基地局に報告するように構成された送信部であって、スモールセルのカバレッジ範囲と隣接スモールセルのカバレッジ範囲は両方とも基地局のカバレッジ範囲内にある、送信部と、
負荷情報及びチャネル状態情報に応じて基地局から送信されるリンクスケジューリングのシグナリングを受信するように構成された受信部であって、リンクスケジューリングのシグナリングはワイヤレスリソースのスケジューリング情報を含み、ワイヤレスリソースのスケジューリング情報が使用されて、スモールセルのワイヤレスバックホールリンクに必要とされる第１のワイヤレスリソースをスモールセルに割り当てる、受信部と、
第１のワイヤレスリソースを除くワイヤレスバックホールリンクの第２のワイヤレスリソースをアクセスリンクに割り当てるように構成された割り当て部であって、アクセスリンクは、スモールセルとユーザ機器との間のデータ送信に使用される、割り当て部とを備える。
【００１０】
第１の可能な実装方式では、上記スモールセルは、
負荷情報に従って、バックホールリンクリソースの再割り当ての需要を判定するように構成された判定部をさらに備え、
送信部はさらに、バックホールリンクリソースの再割り当てを要求する情報を基地局に送信するように構成され、
受信部はさらに、バックホールリンクリソースの再割り当てを要求する情報に応じて基地局から送信されるフィードバック指示情報を受信するように構成され、フィードバック指示情報が使用されて、負荷情報及びチャネル状態情報を基地局に報告するようにスモールセルに指示する。
【００１１】
第４の態様によると、本発明の実施形態は基地局を提供し、この基地局は、
スモールセルから報告される負荷情報及びチャネル状態情報を受信するように構成された受信部と、
負荷情報及びチャネル状態情報に従って、ミリ波帯でスモールセルにリンクスケジューリングのシグナリングを送信するように構成された送信部であって、リンクスケジューリングのシグナリングはワイヤレスリソースのスケジューリング情報を含み、ワイヤレスリソースのスケジューリング情報が使用されて、ワイヤレスバックホールリンクにアクセスするためにスモールセルに必要とされる第１のワイヤレスリソースを知らせ、スモールセルのカバレッジ範囲は基地局のカバレッジ範囲内にある、送信部とを備える。
【００１２】
第１の可能な実装方式では、上記基地局はさらに判定部を備え、
受信部がさらに、スモールセルから送信されるバックホールリンクリソースの再割り当てを要求する情報を受信するように構成され、
判定部がさらに、スモールセルのバックホールリンクの負荷に関連する情報に従って、スモールセルのワイヤレスバックホールリンクにワイヤレスリソースの再割り当てを行うかどうかを判定するように構成され、
送信部はさらに、ワイヤレスリソースの再割り当てを行うと決定されると、ワイヤレスリソースの再割り当てに関係するスモールセルにフィードバック指示情報を送信するように構成され、フィードバック指示情報が使用されて、ワイヤレスリソースの再割り当てに関係するスモールセルに、負荷情報及びチャネル状態情報を基地局に報告するよう指示する。
【００１３】
第５の態様によると、本発明の実施形態は、通信リンクリソースをスケジュールする方法を提供し、この方法は、
第１のスモールセルが、第１のスモールセルと隣接する第２のスモールセルとの間のチャネルの負荷情報及びチャネル状態情報を基地局に報告するステップであって、第１のスモールセルのカバレッジ範囲と第２のスモールセルのカバレッジ範囲は、両方とも基地局のカバレッジ範囲内にある、ステップと、
第１のスモールセルが、負荷情報及びチャネル状態情報に応じて基地局から送信されたリンクプリスケジューリングシグナリングを受信するステップであって、リンクプリスケジューリングシグナリングはワイヤレスリソース占有情報を含み、ワイヤレスリソース占有情報が使用されて、第１のスモールセルのワイヤレスリソースがバックホールリンクに占有されている状況を知らせる、ステップと、
第１のスモールセルが、チャネル状態情報及びワイヤレスリソース占有情報に応じて、利用可能なワイヤレスリソースの中の第１のワイヤレスリソースを第１のスモールセルのバックホールリンクに割り当てるステップと、
第１のワイヤレスリソースを除く利用可能なワイヤレスリソースの中の第２のワイヤレスリソースをアクセスリンクに割り当てるステップであって、アクセスリンクは、第１のスモールセルとユーザ機器との間のデータ送信に使用される、ステップとを含む。
【００１４】
第１の可能な実装方式では、第１のスモールセルが、第１のスモールセルと隣接する第２のスモールセルとの間のチャネルの負荷情報及びチャネル状態情報を基地局に報告するステップの前に、上記方法がさらに、
第１のスモールセルが、負荷情報に従って、バックホールリンクリソースの再割り当ての需要を判定するステップと、
バックホールリンクリソースの再割り当てを要求する情報を基地局に送信するステップと、
バックホールリンクリソースの再割り当てを要求する情報に応じて基地局から送信されるフィードバック指示情報を受信するステップであって、フィードバック指示情報が使用されて、負荷情報及びチャネル状態情報を基地局に報告するように第１のスモールセルに指示する、ステップとを含む。
【００１５】
第６の態様によると、本発明の実施形態は、通信リンクリソースをスケジュールする方法を提供し、この方法は、
基地局が、スモールセルから報告される負荷情報及びチャネル状態情報を受信するステップと、
負荷情報及びチャネル状態情報に応じて、ミリ波帯でスモールセルにリンクプリスケジューリングシグナリングを送信するステップであって、リンクプリスケジューリングシグナリングはワイヤレスリソース占有情報を含み、ワイヤレスリソース占有情報が使用されて、スモールセルのワイヤレスリソースがバックホールリンクに占有されている状況を知らせ、スモールセルのカバレッジ範囲は基地局のカバレッジ範囲内にある、ステップとを含む。
【００１６】
第１の可能な実装方式では、基地局が、スモールセルから報告される負荷情報及びチャネル状態情報を受信するステップの前に、上記方法がさらに、
基地局が、スモールセルから送信されたバックホールリンクリソースの再割り当てを要求する情報を受信するステップと、
スモールセルのバックホールリンクの負荷に関連する情報に従って、スモールセルのバックホールリンクにワイヤレスリソースの再割り当てを行うかどうかを判定するステップと、
ワイヤレスリソースの再割り当てを行うと決定されると、ワイヤレスリソースの再割り当てに関係するスモールセルにフィードバック指示情報を送信するステップであって、フィードバック指示情報が使用されて、ワイヤレスリソースの再割り当てに関係するスモールセルに、負荷情報及びチャネル状態情報を基地局に報告するよう指示する、ステップとを含む。
【００１７】
第７の態様によると、本発明の実施形態は、通信リンクリソースをスケジュールする方法を提供し、この方法は、
スモールセルが、スモールセルと隣接スモールセルとの間のチャネルの負荷情報及びチャネル状態情報を基地局に報告するステップであって、スモールセルのカバレッジ範囲と隣接スモールセルのカバレッジ範囲は両方とも基地局のカバレッジ範囲内にある、ステップと、
スモールセルが、負荷情報及びチャネル状態情報に応じて基地局から送信されたリンクスケジューリングのシグナリングを受信するステップであって、リンクスケジューリングのシグナリングはワイヤレスリソースのスケジューリング情報を含み、ワイヤレスリソースのスケジューリング情報が使用されて、スモールセルのワイヤレスバックホールリンクに必要とされる第１のワイヤレスリソースをスモールセルに割り当てる、ステップと、
第１のワイヤレスリソースを除くワイヤレスバックホールリンクの第２のワイヤレスリソースをアクセスリンクに割り当てるステップであって、アクセスリンクは、スモールセルとユーザ機器との間のデータ送信に使用される、ステップとを含む。
【００１８】
第１の可能な実装方式では、スモールセルが、スモールセルと隣接スモールセルとの間のチャネルの負荷情報及びチャネル状態情報を基地局に報告する上記ステップの前に、上記方法がさらに、
スモールセルが、負荷情報に従ってバックホールリンクリソースの再割り当ての需要を判定するステップと、
バックホールリンクリソースの再割り当てを要求する情報を基地局に送信するステップと、
バックホールリンクリソースの再割り当てを要求する情報に従って基地局から送信されるフィードバック指示情報を受信するステップであって、フィードバック指示情報が使用されて、負荷情報及びチャネル状態情報を基地局に報告するようにスモールセルに指示する、ステップとを含む。
【００１９】
第８の態様によると、本発明の実施形態は、通信リンクリソースをスケジュールする方法を提供し、この方法は、
基地局が、スモールセルから報告される負荷情報及びチャネル状態情報を受信するステップと、
負荷情報及びチャネル状態情報に従って、ミリ波帯でスモールセルにリンクスケジューリングのシグナリングを送信するステップであって、リンクスケジューリングのシグナリングはワイヤレスリソースのスケジューリング情報を含み、ワイヤレスリソースのスケジューリング情報が使用されて、ワイヤレスバックホールリンクにアクセスするためにスモールセルに必要とされる第１のワイヤレスリソースを知らせ、スモールセルのカバレッジ範囲は基地局のカバレッジ範囲内にある、ステップとを含む。
【００２０】
第１の可能な実装方式では、基地局がスモールセルから報告される負荷情報及びチャネル状態情報を受信する上記ステップの前に、上記方法がさらに、
基地局が、スモールセルから送信されたバックホールリンクリソースの再割り当てを要求する情報を受信するステップと、
スモールセルのバックホールリンクの負荷に関連する情報に従って、スモールセルのワイヤレスバックホールリンクにワイヤレスリソースの再割り当てを行うかどうかを判定するステップと、
ワイヤレスリソースの再割り当てを行うと決定された場合、ワイヤレスリソースの再割り当てに関係するスモールセルにフィードバック指示情報を送信するステップであって、フィードバック指示情報が使用されて、ワイヤレスリソースの再割り当てに関係するスモールセルに、負荷情報及びチャネル状態情報を基地局に報告するよう指示する、ステップとを含む。
【００２１】
本発明の実施形態により提供される基地局、スモールセル、及び通信リンクリソースをスケジュールする方法によると、ネットワーク上のスモールセルそれぞれの負荷に応じてバックホールリンクのリソースが動的に調整され、それによりネットワーク全体のリソース使用効率が改善し、システムネットワークの容量が増大する。
【図面の簡単な説明】
【００２２】
【図１】本発明の実施形態によるネットワークシステムのアーキテクチャの概略図である。
【図２】本発明の実施形態１によるスモールセルの概略構造図である。
【図３】本発明の実施形態２による基地局の概略構造図である。
【図４】本発明の実施形態３によるスモールセルの概略構造図である。
【図５】本発明の実施形態４による基地局の概略構造図である。
【図６】本発明の実施形態５によるネットワーク装置の概略構造図である。
【図７】本発明の実施形態６による基地局の概略構造図である。
【図８】本発明の実施形態７によるネットワーク装置の概略構造図である。
【図９】本発明の実施形態８による基地局の概略構造図である。
【図１０】本発明の実施形態９による、通信リンクリソースをスケジュールする方法のフローチャートである。
【図１１】本発明の実施形態１０による、通信リンクリソースをスケジュールする方法のフローチャートである。
【図１２】本発明の実施形態１１による、通信リンクリソースをスケジュールする方法のシグナリング図である。
【図１３】本発明の実施形態１１による、スモールセル間のバックホールリンクのスケジューリング関係の模式図である。
【図１４】本発明の実施形態１２による、通信リンクリソースをスケジュールする方法のフローチャートである。
【図１５】本発明の実施形態１３による、通信リンクリソースをスケジュールする方法のフローチャートである。
【図１６】本発明の実施形態１４による、通信リンクリソースをスケジュールする方法のシグナリング図である。
【発明を実施するための形態】
【００２３】
以下は、本発明の実施形態の添付図面を参照して本発明の実施形態における技術的解決法を明確に説明する。明らかであるように、記載される実施形態は本発明のすべての実施形態ではなく、一部の実施形態に過ぎない。本発明の実施形態に基づいて当業者が創造の努力を要さずに得られるすべての他の実施形態は、本発明の保護範囲に含まれるものとする。
【００２４】
本発明の主旨をより明確に説明するために、まず本発明に関連するネットワークアーキテクチャが紹介されてから、本発明の実施形態が詳細に説明される。
【００２５】
図１に示されるように、基地局は、従来のセルラー周波数帯（例えば、２ＧＨｚ）又は比較的低い周波数のミリ波帯（例えば、３．５ＧＨｚ）を使用して、比較的広い領域のコントロールプレーン（Ｃｏｎｔｒｏｌ  Ｐｌａｎｅ）のカバーを行う。基地局は、上述の周波数帯を使用して、スモールセル及びユーザ機器との間で、対応するシグナリングのインターワーキングを行うことができる。基地局のカバレッジ範囲の中には複数のスモールセルが配備されてホットスポットのカバーを行う。スモールセルは、比較的高い周波数のミリ波帯（例えば、２８ＧＨｚ若しくは３８ＧＨｚ、又はＥ−ｂａｎｄ）を使用して、比較的小さな領域内でユーザプレーン（Ｕｓｅｒ  Ｐｌａｎｅ）のカバーを行う。スモールセルは、従来のセルラー周波数帯又は比較的低い周波数のミリ波帯を使用して、基地局とシグナリングのインターワーキングを行うことができるが、上述の周波数帯を使用してユーザ機器とのシグナリングインターワーキングを行うことはできない。スモールセルのカバレッジ範囲内にあるユーザ機器は、比較的高い周波数のミリ波帯を使用して、スモールセルとの間でユーザプレーンのデータ交換を行い、セルラー周波数帯又は比較的低い周波数のミリ波帯を使用して、基地局との間でコントロールプレーンのシグナリングのインターワーキングを行う。
【００２６】
ネットワークアンカー（ａｎｃｈｏｒ）として、基地局は、有線の光ファイバを使用してコアネットワークに接続する。基地局は、ミリ波帯を使用して１つ又は複数のスモールセルとの間でバックホール伝送を行う。スモールセルは、ミリ波帯を使用して基地局又は別のスモールセルとの間でバックホール伝送を行い、また、スモールセルはさらに、それと同じミリ波帯を使用してユーザ機器との間でアクセス伝送を行う。
【００２７】
本発明の以下の実施形態はすべて上述のネットワークアーキテクチャに対応する。基地局は、３．５ＧＨｚのミリ波帯を使用して基地局のカバレッジ範囲内にあるスモールセル及びユーザ機器との間でコントロールプレーンの通信を行い、基地局は、２８ＧＨｚのミリ波帯を使用して、基地局の１つ又は複数の隣接するスモールセルとの間のバックホールリンクでデータプレーンの伝送を行い、スモールセルは、２８ＧＨｚのミリ波帯を使用して、スモールセルにカバーされるユーザ機器とユーザプレーンのデータ通信を行い、スモールセルは、同じミリ波帯を使用して別のスモールセル又はミリ波マクロ基地局との間のバックホールリンクでデータプレーンの伝送を行うものと想定される。
【００２８】
実施形態１
図２は、本発明の実施形態１によるスモールセルの概略構造図である。図２に示されるように、スモールセル２００は、送信部２０１、受信部２０２、スケジューリング部２０３、割り当て部２０４、及び判定部２０５を含む。
【００２９】
送信部２０１は、スモールセルと、隣接する第１のスモールセルとの間のチャネルの負荷情報及びチャネル状態情報を基地局に報告するように構成され、スモールセルのカバレッジ範囲とスモールセル２００のカバレッジ範囲は両方とも基地局のカバレッジ範囲内にある。
【００３０】
受信部２０２は、負荷情報及びチャネル状態情報に応じて基地局から送信されるリンクプリスケジューリングシグナリングを受信するように構成され、リンクプリスケジューリングシグナリングはワイヤレスリソース占有情報を含み、ワイヤレスリソース占有情報が使用されて、スモールセル２００のワイヤレスリソースがバックホールリンクに占有されている状況を知らせる。
【００３１】
スケジューリング部２０３は、チャネル状態情報及びワイヤレスリソース占有情報に従って、利用可能なワイヤレスリソースの中の第１のワイヤレスリソースを第１のスモールセルのバックホールリンクに割り当てるように構成される。
【００３２】
ワイヤレスリソース占有情報は、具体的には、複数のスモールセル間の経路についての情報、ワイヤレスバックホールリンクのワイヤレスリソースのサイズについての情報、並びに複数のスモールセルのマスター／スレーブ関係の情報及び測定構成情報を含む。スモールセル２００は、受信されたワイヤレスリソース占有情報及びチャネル状態情報に従って、隣接するスモールセルをスケジュールして、第１のワイヤレスリソースを使用してワイヤレスバックホールリンクにアクセスする。
【００３３】
割り当て部２０４は、第１のワイヤレスリソースを除く利用可能なワイヤレスリソースの中の第２のワイヤレスリソースをアクセスリンクに割り当てるように構成され、アクセスリンクは、スモールセルとユーザ機器との間のデータ送信に使用される。
【００３４】
判定部２０５は、負荷情報に従って、バックホールリンクにリソースの再割り当てが行われる必要があるかどうかを判定するように構成される。
【００３５】
例えば、負荷情報は、キャッシュ占有の状況を含み、キャッシュの８０％以上が占有されると、バックホールリンクにリソースの再割り当てが行われる必要があると判定される。本発明のこの実施形態におけるスモールセル２００はさらにアクセス部２０６を含み、このアクセス部２０６は、スモールセル２００をワイヤレスバックホールリンクにアクセスさせるために構成され、スケジューリング部２０３が、利用可能ワイヤレスリソースの第１のワイヤレスリソースをスモールセル２００のバックホールリンクに割り当てた後に、アクセス部２０６は、スモールセル２００が第１のワイヤレスリソースを使用してワイヤレスバックホールリンクにアクセスできるようにする。
【００３６】
送信部２０１はさらに、判定部２０５がバックホールリンクにリソースの再割り当てが行われる必要があると判定した後に、バックホールリンクリソースの再割り当てを要求する情報を基地局に送信するように構成される。
【００３７】
受信部２０２はさらに、バックホールリンクリソースの再割り当てを要求する情報に応じて基地局から送信されるフィードバック指示情報を受信するように構成され、フィードバック指示情報が使用されて、負荷情報及びチャネル状態情報を基地局に報告するようにスモールセルに指示する。
【００３８】
実施形態２
図３は、本発明の実施形態２による基地局の概略構造図である。図３に示されるように、基地局３００は、受信部３０１、送信部３０２、及び判定部３０３を含む。
【００３９】
受信部３０１は、スモールセルから報告される負荷情報及びチャネル状態情報を受信するように構成される。
【００４０】
送信部３０２は、負荷情報及びチャネル状態情報に従って、ミリ波帯でスモールセルにリンクプリスケジューリングシグナリングを送信するように構成され、リンクプリスケジューリングシグナリングはワイヤレスリソース占有情報を含み、ワイヤレスリソース占有情報が使用されて、スモールセルのワイヤレスリソースがバックホールリンクに占有されている状況を知らせ、スモールセルのカバレッジ範囲は基地局のカバレッジ範囲内にある。
【００４１】
スモールセルは、スモールセルの負荷情報に従って、スモールセルがバックホールリンクのリソース再割り当ての需要を有するかどうかを判定し、スモールセルがリソース再割り当ての需要を有する場合は、受信部３０１がさらに、スモールセルから送信されるバックホールリンクリソースの再割り当てを要求する情報を受信するように構成される。
【００４２】
判定部３０３はさらに、スモールセルのバックホールリンクの負荷に関連する情報に従って、スモールセルのワイヤレスバックホールリンクにワイヤレスリソースの再割り当てが行われる必要があるかどうかを判定するように構成される。
【００４３】
送信部３０２はさらに、判定部３０３がスモールセルのワイヤレスバックホールリンクにワイヤレスリソースの再割り当てが行われる必要があると判定すると、ワイヤレスリソースの再割り当てに関係するスモールセルにフィードバック指示情報を送信するように構成され、フィードバック指示情報が使用されて、ワイヤレスリソースの再割り当てに関係するスモールセルに、負荷情報及びチャネル状態情報を基地局に報告するよう指示する。
【００４４】
実施形態３
図４は、本発明の実施形態３によるスモールセルの概略構造図である。図４に示されるように、スモールセル４００は、送信部４０１、受信部４０２、アクセス部４０３、割り当て部４０４、及び判定部４０５を含む。
【００４５】
送信部４０１は、スモールセル４００とスモールセル４００の隣接スモールセルとの間のチャネルの負荷情報及びチャネル状態情報を基地局に報告するように構成され、スモールセル４００のカバレッジ範囲と隣接スモールセルのカバレッジ範囲は両方とも基地局のカバレッジ範囲内にある。
【００４６】
受信部４０２は、負荷情報及びチャネル状態情報に応じて基地局から送信されるリンクスケジューリングのシグナリングを受信するように構成され、リンクスケジューリングのシグナリングはワイヤレスリソースのスケジューリング情報を含み、ワイヤレスリソースのスケジューリング情報が使用されて、スモールセル４００のワイヤレスバックホールリンクに必要とされる第１のワイヤレスリソースをスモールセル４００に割り当てる。
【００４７】
アクセス部４０３は、第１のワイヤレスリソースを使用して、ワイヤレスリソースのスケジューリング情報に従ってバックホールリンクにアクセスするように構成される。
【００４８】
割り当て部４０４は、第１のワイヤレスリソースを除くワイヤレスバックホールリンクの第２のワイヤレスリソースをアクセスリンクに割り当てるように構成され、アクセスリンクは、スモールセル４００とユーザ機器との間のデータ送信に使用される。
【００４９】
判定部４０５は、負荷情報に従って、バックホールリンクにリソースの再割り当てが行われる必要があるかどうかを判定するように構成される。
【００５０】
例えば、負荷情報はキャッシュ占有の状況を含み、キャッシュの８０％以上が占有されると、バックホールリンクにリソースの再割り当てが行われる必要があると判定される。送信部４０１はさらに、判定部４０５がバックホールリンクにリソースの再割り当てが行われる必要があると判定した後に、バックホールリンクリソースの再割り当てを要求する情報を基地局に送信するように構成される。
【００５１】
受信部４０２はさらに、バックホールリンクリソースの再割り当てを要求する情報に応じて基地局から送信されるフィードバック指示情報を受信するように構成され、フィードバック指示情報が使用されて、負荷情報及びチャネル状態情報を基地局に報告するようにスモールセルに指示する。
【００５２】
実施形態４
図５は、本発明の実施形態４による基地局の概略構造図である。図５に示されるように、基地局５００は、受信部５０１、送信部５０２、及び判定部５０３を含む。
【００５３】
受信部５０１は、スモールセルから報告される負荷情報及びチャネル状態情報を受信するように構成される。
【００５４】
送信部５０２は、負荷情報及びチャネル状態情報に従って、ミリ波帯でスモールセルにリンクプリスケジューリングシグナリングを送信するように構成され、リンクスケジューリングのシグナリングは、複数のスモールセル間の経路についての情報とワイヤレスリソースのスケジューリング情報とを含み、ワイヤレスリソースのスケジューリング情報が使用されて、ワイヤレスバックホールリンクにアクセスするためにスモールセルに必要とされる第１のワイヤレスリソースを知らせ、スモールセルのカバレッジ範囲は基地局のカバレッジ範囲内にある。
【００５５】
受信部５０１はさらに、スモールセルから送信されるバックホールリンクリソースの再割り当てを要求する情報を受信するように構成される。
【００５６】
判定部５０３はさらに、スモールセルのバックホールリンクの負荷に関連する情報に従って、スモールセルのワイヤレスバックホールリンクにワイヤレスリソースの再割り当てを行うかどうかを判定するように構成される。
【００５７】
送信部５０２はさらに、判定部５０３がワイヤレスリソースの再割り当てを行うことを決定すると、ワイヤレスリソースの再割り当てに関係するスモールセルにフィードバック指示情報を送信するように構成され、フィードバック指示情報が使用されて、ワイヤレスリソースの再割り当てに関係するスモールセルに、負荷情報及びチャネル状態情報を基地局に報告するよう指示する。
【００５８】
実施形態５
図６は、本発明の実施形態５によるネットワーク装置の概略構造図である。図６に示されるように、ネットワーク装置６００は、第１のインターフェース６０１、第２のインターフェース６０２、メモリ６０３、及びプロセッサ６０４を含む。ネットワーク装置６００は具体的にはスモールセルである。以下の実施形態に記載されるネットワーク装置はすべてスモールセルであり、これは、以降繰り返されない。
【００５９】
第１のインターフェース６０１は基地局と対話するように構成される。
【００６０】
第２のインターフェース６０２は、ネットワーク装置６００に隣接する第１のスモールセルと対話するか、又はネットワーク装置６００のユーザ機器と対話するように構成される。
【００６１】
メモリ６０３は、第１のインターフェース６０１及び第２のインターフェース６０２で受信された対話情報を記憶するように構成される。
【００６２】
プロセッサ６０４は、
第１のインターフェース６０１を使用して、ネットワーク装置６００と、隣接する第１のスモールセルとの間のチャネルの負荷情報及びチャネル状態情報を基地局に報告し、ネットワーク装置６００のカバレッジ範囲と第１のスモールセルのカバレッジ範囲は両方とも基地局のカバレッジ範囲内にあり、
負荷情報及びチャネル状態情報に応じて基地局から送信されるリンクプリスケジューリングシグナリングを、第１のインターフェース６０１を通じて受信し、リンクプリスケジューリングシグナリングはワイヤレスリソース占有情報を含み、ワイヤレスリソース占有情報が使用されて、第１のスモールセルのワイヤレスリソースがバックホールリンクに占有されている状況を知らせ、
チャネル状態情報及びワイヤレスリソース占有情報に従って、第２のインターフェース６０２を使用して、利用可能なワイヤレスリソースの中の第１のワイヤレスリソースを第１のスモールセルのバックホールリンクに割り当て、
ワイヤレスリソース占有情報は、具体的には、ネットワーク装置６００と複数の第１のスモールセルとの間の経路についての情報、ワイヤレスバックホールリンクのワイヤレスリソースのサイズについての情報、ネットワーク装置６００と第１のスモールセルの間のマスター／スレーブ関係の情報、ネットワーク装置６００と複数のスモールセルの間のマスター／スレーブ関係の情報、並びにネットワーク装置６００、第１のスモールセル、及び複数のスモールセルの測定構成情報を含み、ネットワーク装置６００は、受信したワイヤレスリソース占有情報及びチャネル状態情報に従って、隣接する第１のスモールセルをスケジュールして、第１のワイヤレスリソースを使用してワイヤレスバックホールリンクにアクセスし、
第２のインターフェース６０２を使用して、第１のワイヤレスリソースを除く利用可能なワイヤレスリソースの中の第２のワイヤレスリソースをアクセスリンクに割り当てるように構成され、アクセスリンクは、ネットワーク装置６００とユーザ機器との間のデータ送信に使用される。
【００６３】
さらに、第１のインターフェース６０１を使用して負荷情報及びチャネル状態情報が基地局に報告される前に、基地局から送信されるフィードバック期間通知シグナリングが、第１のインターフェース６０１を通じて受信され、
そのフィードバック期間通知シグナリングに従って、ネットワーク装置６００の負荷情報及びチャネル状態情報の報告期間が設定される。
【００６４】
具体的には、基地局は、ネットワーク装置６００及び第１のスモールセルの報告期間を設定し、対応するミリ波帯（例えば、３．５ＧＨｚ周波数帯）で上位層シグナリング（例えば、ＲＲＣシグナリング）を使用して、その報告期間をネットワーク装置６００及び対応する第１のスモールセルに通知することができる。また、基地局はさらに、ネットワーク装置６００及び第１のスモールセルの報告期間を設定し、対応するミリ波帯でブロードキャストシグナリングを使用して、基地局のカバレッジ範囲内にあるすべての第１のスモールセルと、ネットワーク装置６００とにその報告期間を通知することができる。
【００６５】
任意で、第１のインターフェース６０１を使用して負荷情報及びチャネル状態情報が基地局に報告される前に、バックホールリンクリソースを再割り当てする必要があるかどうかが判定され、
バックホールリンクリソースが再割り当てされる必要がある場合は、バックホールリンクリソースの再割り当てを要求する情報が、第１のインターフェース６０１を通じて基地局に送信され、
そのバックホールリンクリソースの再割り当てを要求する情報に従って基地局から送信されるフィードバック指示情報が、第１のインターフェース６０１を通じて受信され、フィードバック指示情報が使用されて、負荷情報及びチャネル状態情報を基地局に報告するようにネットワーク装置６００に指示する。
【００６６】
具体的には、負荷情報は、ネットワーク装置６００の負荷情報及びキャッシュ情報を含み、負荷が特定の程度に達するか、又はキャッシュの占有が特定の程度を超えると、ネットワーク装置６００は、ネットワーク装置６００のバックホールリンクリソースが再割り当てされる必要があると確定し、バックホールリンクリソースの再割り当てを要求する情報を基地局に送信する。リソースの再割り当てが行われる必要があると判定すると、基地局は、対応する上位層シグナリングを使用して、ネットワーク装置６００と、リソースの再割り当ての影響を受ける可能性のある第１のスモールセルとにフィードバック指示情報を送信する。
【００６７】
さらに、バックホールリンクのリソース情報を要求する情報に応じて基地局から送信されるフィードバック指示情報が第１のインターフェース６０１を通じて受信された後に、ネットワーク装置６００と第１のスモールセルの間のチャネルにチャネル測定が行われて、ワイヤレスバックホールリンクのチャネル状態情報を取得し、チャネル状態情報は、リンクチャネル品質指標情報及びビームペアリング情報を含む。
【００６８】
さらに、負荷情報及びチャネル状態情報に応じて基地局から送信されるリンクプリスケジューリングシグナリングを第１のインターフェース６０１を通じて受信することは、具体的には、負荷情報及びチャネル状態情報が基地局に報告された後に、基地局が、関連する情報に従って、ネットワーク装置６００と第１のスモールセルの間のバックホールリンク、又はネットワーク装置６００と複数の第１のスモールセルの間のバックホールリンクのプリスケジューリングを行い、基地局のカバレッジ範囲内にあるネットワーク装置６００と各スモールセルとの間の経路、各ミリ波バックホールリンクにあるスモールセル間のマスター／スレーブ関係、各ミリ波バックホールリンクのスモールセルの測定構成情報、及び各ミリ波バックホールリンクにあるワイヤレスリソースのサイズについての情報を求め、対応するミリ波帯で上位層シグナリング（例えば、ＲＲＣシグナリング）を使用して、ネットワーク装置６００及び各第１のスモールセルに上述の情報を通知することを言う。ワイヤレスリソースの設定は、量子化ビット情報を使用して示されることができる。例えば、ワイヤレスリソースの設定が２ビットを使用して示されると想定されると、「００」は「大きい」を意味し、「０１」は「中程度」を意味し、「１０」は「小さい」を意味し、「１１」は「予約済み」を意味する。又は、３ビットを使用して８つの可能なワイヤレスリソース設定が示される場合もある。
【００６９】
さらに、第２のインターフェース６０２を使用してワイヤレスバックホールリンクの第１のワイヤレスリソースがスケジュールされた後、ワイヤレスバックホールリンクのワイヤレスリソースが、チャネル状態情報及びワイヤレスリソースのスケジューリング情報に従ってスケジュールされ、
ワイヤレスリソースのスケジューリング情報が第２のインターフェース６０２を通じて第１のスモールセルに送信され、その結果、第１のスモールセルがワイヤレスリソースのスケジューリング情報に従って、対応するリソースを使用してワイヤレスバックホールリンクにアクセスする。
【００７０】
実施形態６
図７は、本発明の実施形態６による基地局の概略構造図であり、この実施形態の基地局は、上述の実施形態５のネットワーク装置のピア装置である。図７に示されるように、基地局７００は、通信インターフェース７０１、メモリ７０２、及びプロセッサ７０３を含む。
【００７１】
通信インターフェース７０１は、スモールセルと対話するように構成され、
メモリ７０２は、通信インターフェース７０１で受信された対話情報を記憶するように構成され、
プロセッサ７０３は、
スモールセルから報告される負荷情報及びチャネル状態情報を、通信インターフェース７０１を通じて受信し、
その負荷情報及びチャネル状態情報に応じて、通信インターフェース７０１を通じて、ミリ波帯でスモールセルにリンクプリスケジューリングシグナリングを送信するように構成され、リンクプリスケジューリングシグナリングはワイヤレスリソース占有情報を含み、ワイヤレスリソース占有情報が使用されて、スモールセルのワイヤレスリソースがバックホールリンクに占有されている状況を知らせる。
【００７２】
さらに、スモールセルから報告された負荷情報及びチャネル状態情報が通信インターフェース７０１を通じて受信される前に、複数のスモールセルの負荷情報及びチャネル状態情報の報告期間が設定され、
スモールセルに対応するフィードバック期間通知シグナリングが、通信インターフェース７０１を通じてミリ波帯でスモールセルに送信される。
【００７３】
さらに、スモールセルから報告された負荷情報及びチャネル状態情報が通信インターフェース７０１を通じて受信される前に、スモールセルから送信されたバックホールリンクリソースの再割り当てを要求する情報が、通信インターフェース７０１を通じて受信され、
スモールセルのバックホールリンクの負荷に関連する情報に従って、スモールセルのワイヤレスバックホールリンクにワイヤレスリソースの再割り当てが行われる必要があるかどうかが判定され、
スモールセルのワイヤレスバックホールリンクにワイヤレスリソースの再割り当てが行われる必要があると判定された場合は、通信インターフェース７０１を通じて、ワイヤレスリソースの再割り当てに関係するスモールセルにフィードバック指示情報が送信され、フィードバック指示情報が使用されて、ワイヤレスリソースの再割り当てに関係するスモールセルに、負荷情報及びチャネル状態情報を基地局７００に報告するよう指示する。
【００７４】
そして、基地局７００が、スモールセルからフィードバックされた関係する情報に従ってスモールセル間のバックホールリンクにプリスケジューリングを行い、基地局７００のカバレッジ範囲内にあるスモールセル間の経路、各ミリ波バックホールリンクにあるミリ波スモールセル間のマスター／スレーブ関係、各ミリ波バックホールリンクにあるミリ波スモールセルの測定構成情報、及び、各ミリ波バックホールリンクにあるワイヤレスリソースのサイズについての情報を求め、対応するミリ波帯で上位層シグナリング（例えば、ＲＲＣシグナリング）を使用して、対応するスモールセルに上述の情報を通知する。
【００７５】
実施形態７
図８は、本発明の実施形態７によるネットワーク装置の概略構造図である。図８に示されるように、ネットワーク装置８００は、第１のインターフェース８０１、第２のインターフェース８０２、メモリ８０３、及びプロセッサ８０４を含む。
【００７６】
第１のインターフェース８０１は、基地局と対話するように構成され、
第２のインターフェース８０２は、第１のスモールセル又はユーザ機器と対話するように構成され、
メモリ８０３は、第１のインターフェース８０１及び第２のインターフェース８０２に受信された対話情報を記憶するように構成され、
プロセッサ８０４は、
第１のインターフェース８０１を使用して、ネットワーク装置８００と隣接する第１のスモールセルとの間のチャネルの負荷情報及びチャネル状態情報を報告し、ネットワーク装置８００のカバレッジ範囲とネットワーク装置８００に隣接する第１のスモールセルのカバレッジ範囲は、両方とも基地局のカバレッジ範囲内にあり、
負荷情報及びチャネル状態情報に応じて基地局から送信されるリンクスケジューリングのシグナリングを、第１のインターフェース８０１を通じて受信するように構成され、リンクスケジューリングのシグナリングはワイヤレスリソースのスケジューリング情報を含み、ワイヤレスリソースのスケジューリング情報が使用されて、ネットワーク装置８００のワイヤレスバックホールリンクに必要とされる第１のワイヤレスリソースをネットワーク装置８００に割り当てるように指示し、
ネットワーク装置８００は、第１のワイヤレスリソースを使用して、ワイヤレスリソースのスケジューリング情報に従ってバックホールリンクにアクセスし、
第２のインターフェース８０２を使用して、第１のワイヤレスリソースを除くワイヤレスバックホールリンクの第２のワイヤレスリソースをアクセスリンクに割り当てるように構成され、アクセスリンクは、ネットワーク装置８００とユーザ機器との間のデータ送信に使用される。
【００７７】
さらに、第１のインターフェース８０１を使用して負荷情報及びチャネル状態情報が基地局に報告される前に、基地局から送信されるフィードバック期間通知シグナリングが、第１のインターフェース８０１を通じて受信され、
そのフィードバック期間通知シグナリングに従って、ネットワーク装置８００の負荷情報及びチャネル状態情報の報告期間が設定される。
【００７８】
具体的には、基地局は、ネットワーク装置８００及び第１のスモールセルの報告期間を設定し、対応するミリ波帯（例えば、３．５ＧＨｚ周波数帯）で上位層シグナリング（例えば、ＲＲＣシグナリング）を使用して、その報告期間をネットワーク装置８００及び対応する第１のスモールセルに通知することができる。また、基地局はさらに、ネットワーク装置８００及び第１のスモールセルの報告期間を設定し、対応するミリ波帯でブロードキャストシグナリングを使用して、基地局のカバレッジ範囲内にあるすべての第１のスモールセル及びネットワーク装置８００にその報告期間を通知することができる。
【００７９】
さらに、第１のインターフェース８０１を使用して負荷情報及びチャネル状態情報が基地局に報告される前に、負荷情報に従ってバックホールリンクリソースの再割り当ての需要が判定され、
バックホールリンクリソースの再割り当てを要求する情報が、第１のインターフェース８０１を通じて基地局に送信され、
バックホールリンクリソースの再割り当てを要求する情報に応じて基地局から送信されるフィードバック指示情報が第１のインターフェース８０１を通じて受信され、フィードバック指示情報が使用されて、負荷情報及びチャネル状態情報を基地局に報告するようにネットワーク装置８００に指示する。
【００８０】
具体的には、負荷情報は、ネットワーク装置８００の負荷情報及びキャッシュ情報を含み、負荷が特定の程度に達するか、又はキャッシュの占有が特定の程度を超えると、ネットワーク装置８００は、ネットワーク装置８００のバックホールリンクリソースが再割り当てされる必要があると確定し、バックホールリンクリソースの再割り当てを要求する情報を基地局に送信する。リソースの再割り当てが行われる必要があると判定すると、基地局は、対応する上位層シグナリングを使用して、ネットワーク装置８００と、リソースの再割り当ての影響を受ける可能性のある第１のスモールセルとにフィードバック指示情報を送信する。
【００８１】
実施形態８
図９は、本発明の実施形態８による基地局の概略構造図であり、この実施形態の基地局は、上述の実施形態７のネットワーク装置のピア装置である。図９に示されるように、基地局９００は、通信インターフェース９０１、メモリ９０２、及びプロセッサ９０３を含む。
【００８２】
通信インターフェース９０１は、スモールセルと対話するように構成され、
メモリ９０２は、通信インターフェース９０１に受信された対話情報を記憶するように構成され、
プロセッサ９０３は、
スモールセルから報告された負荷情報及びチャネル状態情報を、通信インターフェース９０１を通じて受信するように構成される。
【００８３】
基地局９００は、負荷情報及びチャネル状態情報に従って、上述の通信インターフェース９０１を通じて、ミリ波帯でスモールセルにリンクスケジューリングのシグナリングを送信し、リンクスケジューリングのシグナリングは、複数のスモールセル間の経路についての情報とワイヤレスリソースのスケジューリング情報とを含み、ワイヤレスリソースのスケジューリング情報が使用されて、スモールセルがワイヤレスバックホールリンクにアクセスするのをスケジュールするために必要な第１のワイヤレスリソースを知らせ、スモールセルのカバレッジ範囲は基地局９００のカバレッジ範囲内にある。
【００８４】
さらに、スモールセルから報告された負荷情報及びチャネル状態情報が通信インターフェース９０１を通じて受信される前に、複数のスモールセルの負荷情報及びチャネル状態情報の報告期間が設定され、
スモールセルに対応するフィードバック期間通知シグナリングが、通信インターフェース９０１を通じてミリ波帯でスモールセルに送信される。
【００８５】
さらに、スモールセルから報告された負荷情報及びチャネル状態情報が通信インターフェース９０１を通じて受信される前に、スモールセルから送信されたバックホールリンクリソースの再割り当てを要求する情報が、通信インターフェース９０１を通じて受信され、
スモールセルのバックホールリンクの負荷に関連する情報に従って、基地局９００は、スモールセルのワイヤレスバックホールリンクにワイヤレスリソースの再割り当てを行うかどうかを判定し、
スモールセルのワイヤレスバックホールリンクにワイヤレスリソースの再割り当てを行うと決定された場合は、ワイヤレスリソースの再割り当てに関係するスモールセルにフィードバック指示情報が送信され、フィードバック指示情報が使用されて、ワイヤレスリソースの再割り当てに関係するスモールセルに、負荷情報及びチャネル状態情報を基地局に報告するよう指示する。
【００８６】
そして、基地局９００は、スモールセルからフィードバックされた関係する情報に従ってスモールセル間のバックホールリンクにスケジューリングを行い、基地局９００のカバレッジ範囲内にあるミリ波スモールセル間の経路と、各ミリ波バックホールリンクのワイヤレスリソースのスケジューリング情報とを求め、対応するミリ波帯で上位層シグナリング（例えば、ＲＲＣシグナリング）を使用して上述の情報を各スモールセルに通知し、その結果、スモールセルは、ワイヤレスリソースのスケジューリング情報に従って、ワイヤレスバックホールリンクの対応するリソースにアクセスする。
【００８７】
実施形態９
本発明の実施形態９は、通信リンクリソースをスケジュールする方法を提供し、この方法は、本発明の実施形態５で提供されるネットワーク装置によって実行される。
【００８８】
図１０は、本発明のこの実施形態による通信リンクリソースをスケジュールする方法のフローチャートである。図１０に示されるように、本発明のこの実施形態による通信リンクリソースをスケジュールする方法は以下のステップを含む。
【００８９】
Ｓ１００１。第１のスモールセルが、第１のスモールセルと隣接する第２のスモールセルとの間のチャネルの負荷情報及びチャネル状態情報を基地局に報告し、第１のスモールセルのカバレッジ範囲と第２のスモールセルのカバレッジ範囲は、両方とも基地局のカバレッジ範囲内にある。
【００９０】
Ｓ１００２。第１のスモールセルが、負荷情報及びチャネル状態情報に応じて基地局から送信されたリンクプリスケジューリングシグナリングを受信し、リンクプリスケジューリングシグナリングはワイヤレスリソース占有情報を含み、ワイヤレスリソース占有情報が使用されて、第１のスモールセルのワイヤレスリソースがバックホールリンクに占有されている状況を知らせる。
【００９１】
具体例では、チャネル状態情報は信号感度を含み、信号感度が事前に設定された値未満であるとき、チャネル状態は良好でない。すると、基地局はバックホールリンクにプリスケジューリングを行い、第１のスモールセルにワイヤレスリンクのスケジューリング指示を送信する。
【００９２】
Ｓ１００３。第１のスモールセルが、チャネル状態情報及びワイヤレスリソース占有情報に応じて、利用可能なワイヤレスリソースの中の第１のワイヤレスリソースを第１のスモールセルのバックホールリンクに割り当て、
ワイヤレスリソース占有情報は、具体的には、複数のスモールセル間の経路についての情報、ワイヤレスバックホールリンクのワイヤレスリソースのサイズについての情報、並びに複数のスモールセルのマスター／スレーブ関係の情報及び測定構成情報を含む。
【００９３】
Ｓ１００４。第１のワイヤレスリソースを除く利用可能なワイヤレスリソースの中の第２のワイヤレスリソースをアクセスリンクに割り当て、アクセスリンクは、スモールセルとユーザ機器との間のデータ送信に使用される。
【００９４】
好ましくは、ステップＳ１００１の前に、方法はさらに、
基地局から送信されたフィードバック期間通知シグナリングを受信すること、並びに、
そのフィードバック期間通知シグナリングに従って、第１のスモールセルの負荷情報及びチャネル状態情報の報告期間を設定すること
を含む。
【００９５】
好ましくは、ステップＳ１００１の前に、方法はさらに、
第１のスモールセルが、負荷情報に従って、バックホールリンクリソースの再割り当ての需要を判定すること、
バックホールリンクリソースの再割り当てを要求する情報を基地局に送信すること、及び
バックホールリンクリソースの再割り当てを要求する情報に応じて基地局から送信されるフィードバック指示情報を受信することを含み、フィードバック指示情報が使用されて、負荷情報及びチャネル状態情報を基地局に報告するようにスモールセルに指示する。
【００９６】
任意で、バックホールリンクリソースの再割り当てを要求する情報に応じて基地局から送信されたフィードバック指示情報を受信した後、方法はさらに、
第１のスモールセルが、第１のスモールセルと第２のスモールセルの間のチャネルにチャネル測定を行い、第１のスモールセルによってスケジュールされるワイヤレスバックホールリンクのチャネル状態情報を取得することを含み、チャネル状態情報は、リンクチャネル品質指示情報及びビームペアリング情報を含む。
【００９７】
好ましくは、ステップＳ１００３の後に、方法はさらに、
対応するワイヤレスリソースのスケジューリング情報を第２のスモールセルに送信することを含む。
【００９８】
本発明のこの実施形態による通信リンクリソースをスケジュールする方法によると、ネットワーク上のスモールセルそれぞれの負荷に応じてバックホールリンクのリソースが動的に調整され、それによりネットワーク全体のリソース使用効率が改善し、システムネットワークの容量が増大する。
【００９９】
実施形態１０
本発明の実施形態１０は、通信リンクリソースをスケジュールする方法を提供し、この方法は、本発明の実施形態６で提供される基地局によって実行される。
【０１００】
図１１は、本発明のこの実施形態による通信リンクリソースをスケジュールする方法のフローチャートである。図１１に示されるように、本発明のこの実施形態による通信リンクリソースをスケジュールする方法は以下のステップを含む。
【０１０１】
Ｓ１１０１。基地局が、スモールセルから報告される負荷情報及びチャネル状態情報を受信する。
【０１０２】
Ｓ１１０２。その負荷情報及びチャネル状態情報に応じて、ミリ波帯でスモールセルにリンクプリスケジューリングシグナリングを送信し、リンクプリスケジューリングシグナリングはワイヤレスリソース占有情報を含み、ワイヤレスリソース占有情報が使用されて、スモールセルのワイヤレスリソースがバックホールリンクに占有されている状況を知らせ、スモールセルのカバレッジ範囲は基地局のカバレッジ範囲内にある。
【０１０３】
ワイヤレスリソース占有情報は、
複数のスモールセル間の経路についての情報、ワイヤレスバックホールリンクのワイヤレスリソースのサイズについての情報、並びに複数のスモールセルのマスター／スレーブ関係の情報及び測定構成情報を含む。
【０１０４】
好ましくは、ステップＳ１１０１の前に、方法はさらに、
基地局が、複数のスモールセルの負荷情報及びチャネル状態情報の報告期間を設定すること、並びに
スモールセルに対応するフィードバック期間通知シグナリングをミリ波帯でスモールセルに送信すること
を含む。
【０１０５】
好ましくは、ステップＳ１１０１の前に、方法はさらに、
基地局が、スモールセルから送信されたバックホールリンクリソースの再割り当てを要求する情報を受信すること、
スモールセルのバックホールリンクの負荷に関連する情報に従って、スモールセルのワイヤレスバックホールリンクにワイヤレスリソースの再割り当てが行われる必要があるかどうかを判定すること、及び
スモールセルのワイヤレスバックホールリンクにワイヤレスリソースの再割り当てが行われる必要があると判定されると、ワイヤレスリソースの再割り当てに関係するスモールセルにフィードバック指示情報を送信することを含み、フィードバック指示情報が使用されて、ワイヤレスリソースの再割り当てに関係するスモールセルに、負荷情報及びチャネル状態情報を基地局に報告するよう指示する。
【０１０６】
本発明のこの実施形態による通信リンクリソースをスケジュールする方法によると、ネットワーク上のスモールセルそれぞれの負荷に応じてバックホールリンクのリソースが動的に調整され、それによりネットワーク全体のリソース使用効率が改善し、システムネットワークの容量が増大する。
【０１０７】
上述の実施形態９及び実施形態１０は、通信リンクリソースをスケジュールする方法について簡単に説明したが、ここでは各エンティティが実行体である。実施形態１１を使用して、以下は、２つのエンティティ、すなわち基地局とネットワーク装置との間の対話の手順を詳細に説明する。
【０１０８】
実施形態１１
図１２は、本発明のこの実施形態による通信リンクリソースをスケジュールする方法のシグナリング図であり、方法は具体的には以下のステップを含む。
【０１０９】
Ｓ１２０１。ネットワーク装置１０が、ネットワーク装置１０の負荷情報に従って、ネットワーク装置１０のバックホールリンクリソースが再割り当てされる必要があると判定する。
【０１１０】
例えば、負荷情報はキャッシュ占有の状況を含み、キャッシュの８０％以上が占有されると、バックホールリンクにリソースの再割り当てが行われる必要があると判定される。
【０１１１】
Ｓ１２０２。再割り当てが必要と判定されると、ネットワーク装置１０は、バックホールリンクリソースの再割り当てを要求する情報を基地局２０に送信する。
【０１１２】
Ｓ１２０３。ネットワーク装置１０から送信されたバックホールリンクリソースの再割り当てを要求する情報を基地局２０が受信すると、現在の経路と、記憶されているバックホールリンクの関連情報に従って、その要求を開始したネットワーク装置１０のワイヤレスバックホールリンクにワイヤレスリソースの再割り当てを行うかどうかが判定される。
【０１１３】
リソースの再割り当てを行うと決定されると、ワイヤレスリソースの再割り当ての影響を受ける可能性のあるスモールセル３０がルーティング情報に従って特定される。
【０１１４】
Ｓ１２０４。基地局２０が、対応する上位層シグナリングを使用して、ネットワーク装置１０と、ワイヤレスリソースの再割り当ての影響を受ける可能性のあるスモールセル３０とにフィードバック指示情報を送信する。
【０１１５】
Ｓ１２０５。基地局２０から送信されたフィードバック指示情報を受信したネットワーク装置１０が、ネットワーク装置１０の負荷情報と、ネットワーク装置１０と隣接スモールセル３０の間のチャネルのチャネル状態情報とを基地局２０にフィードバックする。
【０１１６】
具体的には、上述のフィードバック指示情報が、周期的にネットワーク装置１０から基地局２０に送信されることができる。基地局２０は、ネットワーク装置１０のフィードバック期間を設定し、対応するミリ波帯（例えば、３．５ＧＨｚ周波数帯）で上位層シグナリング（例えば、ＲＲＣシグナリング）を使用して、そのフィードバック期間をネットワーク装置１０に通知することができる。基地局２０はさらに、ネットワーク装置１０のフィードバック期間を設定し、対応するミリ波帯でブロードキャストシグナリングを使用して、そのフィードバック期間をネットワーク装置１０に通知することができる。
【０１１７】
Ｓ１２０６。基地局２０が、ネットワーク装置１０からフィードバックされたネットワーク装置１０と隣接スモールセル３０の間のチャネルの負荷情報及びチャネル状態情報に従って、ネットワーク装置１０とスモールセル３０の間のバックホールリンクにプリスケジューリングを行い、基地局２０のカバレッジ範囲内にあるネットワーク装置１０とスモールセル３０との間の経路、各ミリ波バックホールリンク上にあるネットワーク装置１０とスモールセル３０間のマスター／スレーブ関係、各ミリ波バックホールリンク上にあるスモールセル３０間のマスター／スレーブ関係、ネットワーク装置１０、スモールセル３０、及び各ミリ波バックホールリンクにあるスモールセル３０の測定構成情報を求め、ネットワーク装置１０及びスモールセル３０は各ミリ波バックホールリンク上にあり、また、各ミリ波バックホールリンクにあるワイヤレスリソースのサイズについての情報を求める。
【０１１８】
Ｓ１２０７。基地局２０が、対応するミリ波帯でリンクプリスケジューリングシグナリング（例えば、ＲＲＣシグナリング）を使用して、上述の情報をネットワーク装置１０とスモールセル３０に通知する。リンクプリスケジューリングシグナリングは、上述の経路や、上述のマスター／スレーブ関係、測定構成情報、ワイヤレスリソースのサイズについての情報などのワイヤレスリソース占有情報を含む。
【０１１９】
具体的には、上述のワイヤレスリソースのサイズについての情報は、量子化ビット情報を使用して示されることができる。例えば、２ビットを使用してワイヤレスリソースのサイズについての情報が示されると想定されると、「００」は「大きい」を意味し、「０１」は「中程度」を意味し、「１０」は「小さい」を意味し、「１１」は「予約済み」を意味する。又は、３ビットを使用して８つの可能なワイヤレスリソース設定が示される場合もある。基地局２０のカバレッジ範囲内にあるすべてのネットワーク装置１０及びスモールセル３０はさらに、対応するミリ波帯でブロードキャストシグナリングを使用して、上述のスケジューリング情報が通知されることができる。
【０１２０】
Ｓ１２０８。ネットワーク装置１０が、受信された、ネットワーク装置１０の関係するバックホールリンクにおけるマスター／スレーブ関係に従って、スケジューリングを必要とするバックホールリンクを特定する。
【０１２１】
具体的には、図１３に示されるように、ネットワーク装置１０、スモールセル１１、及びスモールセル１２の間に、３つのバックホールリンクＡ〜Ｃが確立される。基地局２０によってスケジューリングが行われた後、バックホールリンクＡでは、ネットワーク装置１０がマスタースモールセルで、スモールセル１１がスレーブスモールセルであり、バックホールリンクＢでは、スモールセル１２がマスタースモールセルで、スモールセル１１がスレーブスモールセルであり、バックホールリンクＣでは、ネットワーク装置１０がマスタースモールセルで、スモールセル１２がスレーブスモールセルであると特定される。上述のスケジューリング情報に従うと、ネットワーク装置１０はバックホールリンクＡとバックホールリンクＣのワイヤレスリソースをスケジュールする必要があり、スモールセル１２はバックホールリンクＢのワイヤレスリソースをスケジュールする必要があると判定される。
【０１２２】
Ｓ１２０９。スモールセル３０が、基地局２０から受信された測定構成情報に従って、特定のミリ波帯（例えば、２８ＧＨｚ）で測定参照信号を送信する。
【０１２３】
Ｓ１２１０。ネットワーク装置１０が、基地局２０から受信された測定構成情報と、スモールセル３０から送信され、特定のミリ波帯（例えば、２８ＧＨｚ）で受信される測定参照信号に従って、ネットワーク装置１０とスモールセル３０の間のチャネルにチャネル測定を行い、ネットワーク装置１０によってスケジュールされたバックホールリンクのチャネル状態情報を取得し、チャネル状態情報は、リンクチャネル品質指示情報、ビームペアリング情報等を含む。ネットワーク装置１０は、測定で得られた各バックホールリンクのチャネル状態情報と、基地局２０から受信されるバックホールリンクのワイヤレスリソースのサイズについての情報とに従って、各バックホールリンクにワイヤレスリソースのスケジューリングを行う。
【０１２４】
Ｓ１２１１。ネットワーク装置１０が、ワイヤレスリソースのスケジューリング情報通知シグナリングを使用して、各バックホールリンクのワイヤレスリソースのスケジューリング情報を各スモールセル３０に送信する。
【０１２５】
図１３に示されるように、ネットワーク装置１０は、ワイヤレスバックホールリンクＡとワイヤレスバックホールリンクＣのワイヤレスリソースをスケジュールし、対応するシグナリングを使用して、バックホールリンクＡのワイヤレスリソースのスケジューリング情報をスモールセル１１に送信し、バックホールリンクＣのワイヤレスリソースのスケジューリング情報をスモールセル１２に送信する。
【０１２６】
Ｓ１２１２。ネットワーク装置１０が、ワイヤレスバックホールリンクが使用するためにスケジュールされたワイヤレスリソースを除く別のワイヤレスリソースをアクセスリンクに割り当て、アクセスリンクは、ネットワーク装置とユーザ機器４０との間のデータ送信に使用され、ネットワーク装置１０は、ユーザ機器４０に通知シグナリングを送信する。
【０１２７】
実施形態１２
本発明の実施形態１２は、通信リンクリソースをスケジュールする方法を提供し、この方法は、本発明の実施形態７で提供されるネットワーク装置によって実行される。
【０１２８】
図１４は、本発明のこの実施形態による通信リンクリソースをスケジュールする方法のフローチャートである。図１４に示されるように、本発明のこの実施形態における通信リンクリソースをスケジュールする方法は以下のステップを含む。
【０１２９】
Ｓ１４０１。スモールセルが、スモールセルと隣接スモールセルとの間のチャネルの負荷情報及びチャネル状態情報を基地局に報告し、スモールセルのカバレッジ範囲と隣接スモールセルのカバレッジ範囲は両方とも基地局のカバレッジ範囲内にある。
【０１３０】
Ｓ１４０２。スモールセルが、負荷情報及びチャネル状態情報に応じて基地局から送信されたリンクスケジューリングのシグナリングを受信し、リンクスケジューリングのシグナリングはワイヤレスリソースのスケジューリング情報を含み、ワイヤレスリソースのスケジューリング情報が使用されて、スモールセルのワイヤレスバックホールリンクに必要とされる第１のワイヤレスリソースをスモールセルに割り当てる。
【０１３１】
Ｓ１４０３。第１のワイヤレスリソースを使用して、ワイヤレスリソースのスケジューリング情報に従って、ワイヤレスバックホールリンクにアクセスする。
【０１３２】
Ｓ１４０４。第１のワイヤレスリソースを除く利用可能なワイヤレスリソースの中の第２のワイヤレスリソースをアクセスリンクに割り当て、アクセスリンクは、スモールセルとユーザ機器との間のデータ送信に使用される。
【０１３３】
好ましくは、ステップＳ１４０１の前に、方法はさらに、
基地局から送信されるフィードバック期間通知シグナリングを受信すること、並びに
フィードバック期間通知シグナリングに従って、スモールセルの負荷情報及びチャネル状態情報の報告期間を設定すること
を含む。
【０１３４】
好ましくは、ステップＳ１４０１の前に、方法はさらに、
スモールセルが、負荷情報に従ってバックホールリンクリソースの再割り当ての需要を判定すること、
バックホールリンクリソースの再割り当てを要求する情報を基地局に送信すること、及び
バックホールリンクリソースの再割り当てを要求する情報に従って基地局から送信されるフィードバック指示情報を受信することを含み、フィードバック指示情報が使用されて、負荷情報及びチャネル状態情報を基地局に報告するようにスモールセルに指示する。
【０１３５】
本発明のこの実施形態による通信リンクリソースをスケジュールする方法によると、ネットワーク上のスモールセルそれぞれの負荷に応じてバックホールリンクのリソースが動的に調整され、それによりネットワーク全体のリソース使用効率が改善し、システムネットワークの容量が増大する。
【０１３６】
実施形態１３
本発明の実施形態１３は、通信リンクリソースをスケジュールする方法を提供し、この方法は、実施形態８で提供される基地局によって実行される。
【０１３７】
図１５は、本発明のこの実施形態による通信リンクリソースをスケジュールする方法のフローチャートである。図１５に示されるように、本発明のこの実施形態による通信リンクリソースをスケジュールする方法は以下のステップを含む。
【０１３８】
Ｓ１５０１。基地局が、スモールセルから報告される負荷情報及びチャネル状態情報を受信する。
【０１３９】
Ｓ１５０２。負荷情報及びチャネル状態情報に従って、ミリ波帯でスモールセルにリンクスケジューリングのシグナリングを送信し、リンクスケジューリングのシグナリングは、スモールセルと隣接スモールセルの間の経路についての情報、及びワイヤレスリソースのスケジューリング情報を含み、ワイヤレスリソースのスケジューリング情報が使用されて、ワイヤレスバックホールリンクにアクセスするためにスモールセルに必要とされる第１のワイヤレスリソースを知らせ、スモールセルのカバレッジ範囲は基地局のカバレッジ範囲内にある。
【０１４０】
好ましくは、ステップＳ１５０１の前に、方法はさらに、
基地局が、複数のスモールセルの負荷情報及びチャネル状態情報の報告期間を設定すること、並びに
スモールセルに対応するフィードバック期間通知シグナリングを、ミリ波帯でスモールセルに送信することを含む。
【０１４１】
好ましくは、ステップＳ１５０１の前に、方法はさらに、
基地局が、スモールセルから送信されたバックホールリンクリソースの再割り当てを要求する情報を受信すること、
スモールセルのバックホールリンクの負荷に関連する情報に従って、スモールセルのワイヤレスバックホールリンクにワイヤレスリソースの再割り当てを行うかどうかを判定すること、及び
ワイヤレスリソースの再割り当てを行うと決定された場合、ワイヤレスリソースの再割り当てに関係するスモールセルにフィードバック指示情報を送信することを含み、フィードバック指示情報が使用されて、ワイヤレスリソースの再割り当てに関係するスモールセルに、負荷情報及びチャネル状態情報を基地局に報告するよう指示する。
【０１４２】
本発明のこの実施形態による通信リンクリソースをスケジュールする方法によると、ネットワーク上のスモールセルそれぞれの負荷に応じてバックホールリンクのリソースが動的に調整され、それによりネットワーク全体のリソース使用効率が改善し、システムネットワークの容量が増大する。
【０１４３】
上述の実施形態１２及び実施形態１３は、通信リンクリソースをスケジュールする方法について簡単に説明したが、ここでは各エンティティが実行体である。実施形態１４を使用して、以下は、２つのエンティティ、すなわち基地局とネットワーク装置との間の対話の手順を詳細に説明する。
【０１４４】
実施形態１４
図１６は、本発明のこの実施形態による通信リンクリソースをスケジュールする方法のシグナリング図であり、方法は具体的には以下のステップを含む。
【０１４５】
Ｓ１６０１。ネットワーク装置１０が、ネットワーク装置１０の負荷情報及びキャッシュ情報に従って、ネットワーク装置１０のバックホールリンクリソースが再割り当てされる必要があると判定する。
【０１４６】
Ｓ１６０２。ネットワーク装置１０が、バックホールリンクリソースの再割り当てを要求する情報を基地局２０に送信する。
【０１４７】
Ｓ１６０３。基地局２０が、ネットワーク装置１０から送信されたバックホールリンクリソースの再割り当てを要求する情報を受信した後に、現在の経路と、記憶されているバックホールリンクの関連情報とに従って、その要求を開始したミリ波スモールセルのワイヤレスバックホールリンクにワイヤレスリソースの再割り当てを行うかどうかを判定する。
【０１４８】
リソースの再割り当てを行うと決定されると、ワイヤレスリソースの再割り当ての影響を受ける可能性のあるネットワーク装置１０及びスモールセル３０がルーティング情報に従って特定される。
【０１４９】
Ｓ１６０４。基地局２０が、対応する上位層シグナリングを使用して、リソースの再割り当ての影響を受ける可能性のあるネットワーク装置１０と第１のスモールセル３０とにフィードバック指示情報を送信する。
【０１５０】
Ｓ１６０５。基地局２０から送信されたフィードバック指示情報を受信したネットワーク装置１０が、ネットワーク装置１０の負荷情報と、ネットワーク装置１０と隣接スモールセル３０の間のチャネルのチャネル状態情報とを基地局２０にフィードバックする。
【０１５１】
具体的には、基地局２０は、ネットワーク装置１０のフィードバック期間を設定し、対応するミリ波帯（例えば、３．５ＧＨｚ周波数帯）で上位層シグナリング（例えば、ＲＲＣシグナリング）を使用して、そのフィードバック期間をネットワーク装置１０に通知することができる。基地局２０はさらに、ネットワーク装置１０のフィードバック期間を設定し、対応するミリ波帯でブロードキャストシグナリングを使用して、そのフィードバック期間をネットワーク装置１０に通知することができる。
【０１５２】
Ｓ１６０６。基地局２０が、ネットワーク装置１０からフィードバックされた負荷情報と、ネットワーク装置１０と隣接スモールセル３０の間のチャネルのチャネル状態情報に従って、ネットワーク装置１０とスモールセル３０間のバックホールリンクにスケジューリングを行い、基地局２０のカバレッジ範囲内にあるネットワーク装置１０とスモールセル３０の間の経路、及び各ミリ波バックホールリンクのワイヤレスリソースのスケジューリング情報を判定する。
【０１５３】
Ｓ１６０７。対応するミリ波帯でリンクスケジューリングのシグナリング（例えば、ＲＲＣシグナリング）を使用して、上述の情報をネットワーク装置１０に通知し、リンクスケジューリングのシグナリングはワイヤレスリソースのスケジューリング情報を含む。
【０１５４】
Ｓ１６０８。ネットワーク装置１０が、ワイヤレスリソースのスケジューリング情報に従って、ワイヤレスバックホールリンクにアクセスする。
【０１５５】
Ｓ１６０９。ネットワーク装置１０が、ワイヤレスバックホールリンクが使用するためにスケジュールされたワイヤレスリソースを除く別のワイヤレスリソースをアクセスリンクに割り当て、アクセスリンクは、ネットワーク装置とユーザ機器４０との間のデータ送信に使用され、ネットワーク装置１０は、ワイヤレスリソースのスケジューリング情報通知シグナリングをユーザ機器４０に送信する。
【０１５６】
実施形態１５
本発明の実施形態１５はさらに通信システムを提供し、この通信システムは、上述の実施形態５で提供されるネットワーク装置及び上述の実施形態６で提供される基地局を含む。
【０１５７】
基地局は、ワイヤレスバックホールリンクの経路を更新し、それぞれのワイヤレスバックホールリンクに必要とされるワイヤレスリソースのサイズを判定し、ワイヤレスリソース占有情報をネットワーク装置に送信する。
【０１５８】
ネットワーク装置は、受信されたワイヤレスリソース占有情報に従って、利用可能なワイヤレスリソースの中の第１のワイヤレスリソースをバックホールリンクに割り当てる。
【０１５９】
ネットワーク装置は、第１のワイヤレスリソースを除く利用可能なワイヤレスリソースの中の第２のワイヤレスリソースをアクセスリンクに割り当て、その割り当てをユーザ機器に通知する。
【０１６０】
上述のステップの具体的な手順は上述の実施形態で開示されており、詳細はここでは繰り返し説明されない。
【０１６１】
基地局が、それぞれのワイヤレスバックホールリンクに必要とされるワイヤレスリソースのサイズを判定し、ワイヤレスリソース占有情報をネットワーク装置に送信するステップの実行期間は、ネットワーク装置がワイヤレスバックホールリンクの第１のワイヤレスリソースをスケジュールするステップの期間よりも大きい。
【０１６２】
ネットワーク装置がワイヤレスバックホールリンクの第１のワイヤレスリソースをスケジュールするステップの期間は、ネットワーク装置が第１のワイヤレスリソースを除くワイヤレスバックホールリンクの第２のワイヤレスリソースをアクセスリンクに割り当てるステップの期間よりも大きい。
【０１６３】
好ましくは、基地局がそれぞれのワイヤレスバックホールリンクに必要とされるワイヤレスリソースのサイズを判定し、ワイヤレスリソース占有情報をネットワーク装置に送信するステップは、長い期間実行され、このステップの期間は、数秒間のレベルに達する場合もある。例えば、このステップは秒単位で実行される。ネットワーク装置がワイヤレスバックホールリンクの第１のワイヤレスリソースをスケジュールするステップは、中程度の長さの期間行われ、このステップの期間は、数百ミリ秒のレベルに達する可能性がある。例えば、この期間は３２０ｍｓである。ネットワーク装置がワイヤレスバックホールリンクの第２のワイヤレスリソースをアクセスリンクに割り当てるステップは、短期間行われ、一般にはこの期間はサブフレームの時間長であり、例えば１ｍｓさらにはそれ未満である。
【０１６４】
本発明のこの実施形態で提供される通信システムによると、通信ネットワーク内のスモールセルそれぞれの負荷に応じてバックホールリンクのリソースが動的に調整され、それによりネットワーク全体のリソース使用効率が改善し、システムネットワークの容量が増大する。階層的なスケジューリングを使用することにより、システム内のシグナリングのオーバーヘッドが低減され、それによりスケジューラの複雑性が実質的に低減する。
【０１６５】
実施形態１６
本発明の実施形態１６はさらに通信システムを提供し、この通信システムは、上述の実施形態７で提供されるネットワーク装置及び上述の実施形態８で提供される基地局を含む。
【０１６６】
基地局は、ワイヤレスバックホールリンクの経路を更新し、利用可能なワイヤレスリソースの中の第１のワイヤレスリソースをネットワーク装置のバックホールリンクに割り当て、その割り当てをネットワーク装置に通知する。
【０１６７】
ネットワーク装置は、第１のワイヤレスリソースを使用してバックホールリンクにアクセスし、割り当てをユーザ機器に通知する。
【０１６８】
上述のステップの具体的な手順は上述の実施形態で開示されており、詳細はここでは繰り返し説明されない。
【０１６９】
基地局がそれぞれのワイヤレスバックホールリンクに必要とされるワイヤレスリソースをスケジュールし、割り当てをネットワーク装置に通知するステップの実行期間は、ネットワーク装置がワイヤレスリソースにアクセスし、割り当てをユーザ機器に通知するステップの期間よりも大きい。
【０１７０】
好ましくは、基地局がそれぞれのワイヤレスバックホールリンクに必要とされるワイヤレスリソースをスケジュールするステップは、比較的長い期間行われ、このステップの期間は、数百ミリ秒のレベルに達する場合がある。例えば、この期間は３２０ｍｓである。ネットワーク装置がワイヤレスリソースにアクセスし、割り当てをユーザ機器に通知するステップは、短期間行われ、一般にはこの期間はサブフレームの時間長であり、例えば１ｍｓさらにはそれ未満である。
【０１７１】
本発明のこの実施形態で提供される通信システムによると、通信ネットワーク内のスモールセルそれぞれの負荷に応じてバックホールリンクのリソースが動的に調整され、それによりネットワーク全体のリソース使用効率が改善し、システムネットワークの容量が増大する。階層的なスケジューリングを使用することにより、システム内のシグナリングのオーバーヘッドが低減され、それによりスケジューラの複雑性が実質的に低減する。
【０１７２】
当業者はさらに、本明細書に開示される実施形態に記載される例との関連で、動作部及びアルゴリズムのステップは、電子ハードウェア、コンピュータソフトウェア、又はそれらの組み合わせによって実装される可能性があることを認識されよう。ハードウェアとソフトウェアの交換可能性を明確に説明するために、上記は、全般に、各例の構成とステップを機能に従って説明した。それらの機能がハードウェアによって行われるか、ソフトウェアによって行われるかは、この技術的解決法の特定の用途と設計の制約条件に応じて決まる。当業者は、種々の方法を使用して、記載される機能をそれぞれの特定の用途に合わせて実装することができるが、その実装が本発明の範囲を越えるものとはみなすべきでない。
【０１７３】
本明細書に開示される実施形態に記載される方法又はアルゴリズムのステップは、ハードウェア、プロセッサによって実行されるソフトウェアモジュール、又はそれらの組み合わせにより実装される可能性がある。ソフトウェアモジュールは、ランダムアクセスメモリ（ＲＡＭ）、メモリ、読出し専用メモリ（ＲＯＭ）、電気的にプログラム可能なＲＯＭ、電気的に消去可能なプログラム可能ＲＯＭ、レジスタ、ハードディスク、取り外し可能ディスク、ＣＤ−ＲＯＭ、又は当技術分野で知られる他の形態の記憶媒体に常駐することができる。
【０１７４】
上述の具体的な実装方式では、本発明の目的、技術的解決法、及び利益がさらに詳細に記載されている。上述の記載は本発明の具体的な実装方式に過ぎず、本発明の保護範囲を限定する意図はないことを理解されたい。本発明の主旨及び原理から逸脱することなくなされる改変、等価の置き換え、又は改良は、本発明の保護範囲内にあるものとする。
【図１】
0006500030.tif 000002
【図２】
0006500030.tif 000003
【図３】
0006500030.tif 000004
【図４】
0006500030.tif 000005
【図５】
0006500030.tif 000006
【図６】
0006500030.tif 000007
【図７】
0006500030.tif 000008
【図８】
0006500030.tif 000009
【図９】
0006500030.tif 000010
【図１０】
0006500030.tif 000011
【図１１】
0006500030.tif 000012
【図１２】
0006500030.tif 000013
【図１３】
0006500030.tif 000014
【図１４】
0006500030.tif 000015
【図１５】
0006500030.tif 000016
【図１６】
0006500030.tif 000017